(57)【要約】【課題】遊技媒体のメダルの一括投入をより実行し易い遊技機を提供すること。【解決手段】遊技媒体としてのメダル投入開口部３とメダル貯留部２は、テーブル状の操作部１１の操作面１１０に設けられている。前記投入開口部３は、凹形状の前記メダル貯留部２と該メダル貯留部の底面部側縁に設けられたメダル投入開口部３とを有することを特徴とする。【選択図】        図１
2004358153.tif 000002
【特許請求の範囲】
【請求項１】
メダルを用いて遊技が行われる遊技機において、
遊技機の操作面に設けられた凹形状のメダル貯留部と、
該メダル貯留部の底面部側縁に設けられたメダル投入開口部とを有することを特徴とする遊技機。
【請求項２】
前記メダル貯留部の底面部は、水平面と、該水平面の周縁の一部から前記メダル投入開口部へ続く傾斜面とからなり、
前記メダル投入開口部は前記水平面よりも低位置に設けられていることを特徴とする請求項１に記載の遊技機。
【請求項３】
前記メダル貯留部の底面部は、第１の傾斜面と該第１の傾斜面の周縁の一部から前記メダル投入開口部へ続く第２の傾斜面とからなり、
前記メダル投入開口部は、前記第１の傾斜面と第２の傾斜面とが接する位置よりも低位置に設けられていることを特徴とする請求項２に記載の遊技機。
【発明の詳細な説明】
【０００１】
【発明の属する技術分野】
本発明は、メダルを用いる遊技機に関する。
【０００２】
【従来の技術】
例えば、遊技媒体としてメダルが用いられるスロットマシンにおいては、遊技者がメダル投入口に一枚一枚メダルを投入する煩わしさを避けるため、多数枚のメダルを一度に投入できるメダル一括投入部Ａが設けられている（例えば、特許文献１参照）。
【０００３】
【特許文献１】
特開２０００−２８５２７３号公報（第４頁段落００３２、図１、図３）
【０００４】
【発明が解決しようとする課題】
前記メダル一括投入部Ａでは、複数枚のメダルを一括投入できる利便性はあるが、しかし、一括投入するには、遊技者がメダルを掴んだ手を前記投入部Ａの上部まで移動させ、そこで手を開いてメダルを投入するという動作が必要であった。このように動作は、長時間継続してゲームを行う場合には煩わしいものになっていた。また、僅かな手元の狂い、メダルが前記投入部Ａに入らず、こぼれたり、溢れる可能性もあった。
【０００５】
そこで、本願発明は上記課題を解決するため、メダルの一括投入をより実行し易い遊技機を提供することを目的とする。
【０００６】
【課題を解決するための手段】
上記課題を解決するため、本発明に係る遊技機はメダルを用いて遊技が行われる遊技機において、遊技機の操作面に設けられた凹形状のメダル貯留部と、該メダル貯留部の底面部側縁に設けられたメダル投入開口部とを有することを特徴とする（請求項１記載の発明）。
【０００７】
ここで、メダル貯留部の底面部の形状は、特定の形状に限定されるものではなく、またメダル投入開口部を設ける側縁の位置も、特に限定されるものではない。
この発明によれば、メダルをメダル貯留部の底面部に貯留でき、それらのメダルをメダル投入開口部に向けて押し出すように一括投入できる。
また、メダル投入開口部に投入されるメダルの投入枚数を遊技者の都合に応じて加減することができる。
【０００８】
上記発明において、前記メダル貯留部の底面部は、水平面と、該水平面の周縁の一部から前記メダル投入開口部へ続く傾斜面とからなり、前記メダル投入開口部は前記水平面よりも低位置に設けられていることを特徴とする（請求項２に記載の発明）。
この発明によれば、底面部の水平面の周縁の一部から前記メダル投入開口部へ続く傾斜面を有することにより、メダルを流し入れ易くなる。
【０００９】
上記発明において、前記メダル貯留部の底面部は、第１の傾斜面と該第１の傾斜面の周縁の一部から前記メダル投入開口部へ続く第２の傾斜面とからなり、前記メダル投入開口部は、前記第１の傾斜面と第２の傾斜面とが接する位置よりも低位置に設けられていることを特徴とする（請求項３に記載の発明）。
この発明によれば、前記メダル貯留部の底面部は、第１の傾斜面と前記メダル投入開口部へ続く第２の傾斜面を備えているので、更にメダルを流し入れ易くなっている。
【００１０】
上記発明において、前記水平面又は前記第１の傾斜面から前記操作面へ至る曲面が、前記一方の側端を除く、前記水平面または第１の傾斜面の側端に形成されていることを特徴とする。
この発明によれば、前記水平面または第１の傾斜面の側縁に、操作面へ至る曲面が形成されているので、メダルを回収したい場合に、手で掻き出し易い構造となっている。
ここで、第１の傾斜面が上方に向かって傾斜していれば、メダルの貯留量が増大するという効果を奏する。
【００１１】
【発明の実施の形態】
上記発明の実施の形態を図面に基づいて説明する。
図１は実施形態に係る遊技機の斜視図、図２は同遊技機に設けられたメダル投入開口部とメダル貯留部の斜視図である。
なお、これらの各図、後述の各図において、同一の構成については、同一の符号を付して、重複した説明を省略する。
【００１２】
本発明に係る遊技機１のメダル貯留部２とメダル投入開口部３（以下、メダル投入開口部とメダル貯留部を一体的に表すものとしてメダル投入部という）の設置場所は、図１に示したようにテーブル状の操作部１１の操作面１１０に設けられている。
【００１３】
即ち、前記遊技機１のメダル投入部は、前記操作面１１０において、遊技者の位置として想定される操作部１１の前端部１１１から近い位置にメダル貯留部２が設けられ、その貯留部２の底面部２０の周縁の内、遊技者から最も遠い位置にある側縁にメダル投入開口部３が設けられている。
【００１４】
前記メダル貯留部２は、複数枚のメダル（図示せず）を一時的に貯留するもので、図２に示したように前記操作部１１の操作面１１０から所定の深さに形成された水平面２００と、その水平面２００の周縁の一部である側縁３０から、前記メダル投入開口部３に続く傾斜面２０１とから形成される底面部２０を備えた、凹形状に形成されている。
前記傾斜面２０１は、図２に示したように、側縁３０から下方に向けて傾斜しており、前記メダル投入開口部は前記水平面よりも低位置に設けられている。
【００１５】
また、前記メダル貯留部２には水平面２００の周縁の内、遊技者に最も近い位置にある側縁２１から前記操作面１１０へ至る曲面２２が形成されている。
【００１６】
このように構成されたメダル投入部では、メダル投入開口部３の手前に前記貯留部２が設けられているので、水平面２００に多数のメダルが載置されていた場合、遊技者がそれらのメダルをまとめてメダル投入開口部３の方向へ押し出すと、押し出されたメダルは、重力により傾斜面２０１上を滑り落ち、メダル投入開口部３へ投入される。
また、メダル投入開口部３に投入するメダルの量を遊技者自身が前記メダル貯留部２で調整できる。
また、前記メダル貯留部２があることで、直接、メダルをメダル投入開口部３に投入する場合に比べ、メダルのこぼれや、メダル投入開口部３からの溢れを防ぐことができる。
さらに、前記曲面２２により、例えば遊技を途中で中断する場合や、遊技を終了させる場合に、前記メダル貯留部２上のメダルを容易に掻き出して掬い取ることができる。
【００１７】
次ぎに、図３に基いて第２実施形態の構成例を説明する。
この第２実施形態に係るメダル投入部が上記実施形態と異なる点は、前記水平面２００に代えて、前記メダル投入開口部３に向けて下方に傾斜する傾斜面２０２（第１の傾斜面）を形成し、曲面２２の代わりに垂直面２３を形成したことである。
前記傾斜面２０２が、前記メダル投入開口部３に向けて下方に傾斜していることで、傾斜面２０２上のメダルがより傾斜面２０１（第２の傾斜面）に流れ込み易くなっており、前記メダル投入開口部３へメダルを投入する際、メダルを押出す負担が軽減される。
なお、前記第１の傾斜面２０２を前記側縁３０に向けて上方に傾斜させる構成であれば、よりメダルの収容可能な容積が拡大されている。
【００１８】
なお、前記第１の傾斜面２０２が上方に向かって傾斜していれば、メダルの貯留量が増大するという効果を奏する。
また、前記曲面２２の曲率や幅などの形状は、前記メダル貯留部２に残っているメダルを遊技者がその手の甲を上方にして、掻き出し、掬い取ることができるようになっていれは、どのような形状でもよい。
【００１９】
上記メダル投入部の構成は、上記実施形態に限定されるものではなく、前記貯留部２の底面部２０の形状を平面から、曲面に変更してもよく、これらの形状でも上記各実施形態と同様な作用効果を奏する。
また、前記底面部２０が平面であるか曲面にかかわらず、前記底面部２０の形状を幅広の扇状に形成してもよい。
また前記メダル貯留部２は略長方体状となっているが、特定の形状に限定されるものではなく、その他の多角形体状、円形体状でもよい。また、少なくとも片手で把持できるメダルを一時的に貯留できる程度の容積であればよい。
また、前記底部２０のサイズは、上述のように少なくとも片手で把持できるメダルを一時的に貯留できる程度のサイズであればよいが、操作部１１の操作の邪魔にならない程度で、広いほど好ましい。
また、上記実施形態では、前記底面部２０の側縁２１は、垂直状にまたは曲面状に形成されているが、斜面状に形成してもよい。
【００２０】
本発明に係る遊技機はメダルを用いて遊技が行われる遊技機であれば、その遊技機の種類はどのようなものでもよく、パチスロ機等に限定されるものではない。
【００２１】
【発明の効果】
本願発明に係る遊技機によれば、一旦メダル貯留部に貯留したメダルをメダル投入開口部に向けて押し出すことができ、より多くのメダルを前記メダル投入開口部に投入することができる。よって、メダルの一括投入がより実行され易い遊技機となっている。
【図面の簡単な説明】
【図１】実施形態に係る遊技機の斜視図、
【図２】同遊技機のメダル投入部の斜視図、
【図３】同遊技機の別例にかかるメダル投入部の斜視図。
【符号の説明】
１  遊技機                          ２  メダル貯留部
３  メダル投入開口部                １０  遊技面
１１  操作部                        １１０  操作面
２０  底面部                        ２１  側縁
２２  曲面                          ２００  水平面
３０  側縁
２０１  傾斜面（第２の傾斜面）
２０２  第１の傾斜面
【図１】
2004358153.tif 000003
【図２】
2004358153.tif 000004
【図３】
2004358153.tif 000005